(57)【特許請求の範囲】
【請求項１】
グロメット本体に、パネルの通孔に嵌合する溝部と、該溝部を該通孔に嵌合させるための一対の引張片とが設けられ、ワイヤハーネスを挿通させるグロメットにおいて、前記一対の引張片が幅広な切欠部を介して前記グロメット本体の両側に離間して設けられ、該切欠部が略Ｖ字状に形成されたことを特徴とするグロメット。
【発明の詳細な説明】
【０００１】
【発明の属する技術分野】
本発明は、車両のパネルを貫通してワイヤハーネスを室外から室内側へ導入させるべく、引張片を引っ張ってグロメット本体をパネルの通孔に嵌合させる構造の防水用のグロメットに関するものである。
【０００２】
【従来の技術】
図８〜図９は従来の一般的なゴム製のグロメットを示すものである。
図８のグロメット４５は大径部４６と小径部４７とを同心に有し、パネル４８の通孔４９にワイヤハーネス５０を真直に挿通させるものである。大径部４６には周溝５１が形成され、周溝５１がパネル４８に嵌合され、小径部４７にワイヤハーネス５０がテープ５２で固定される。グロメット４５は車外側（小径部４７側）に引き出すようにしてパネル４８に嵌合固定される。
【０００３】
図９のグロメット５３は大径部５４からほぼ直角に屈曲した小径部５５を有し、パネル５６の通孔５７から車外側（小径部５５側）にワイヤハーネス５８を屈曲して挿通させるものである。グロメット５３は車外側から大径部５４の周溝５９をパネル５６に押し込むようにして嵌合させる。ワイヤハーネス５８はパネル５６に沿って配索される。
【０００４】
しかしながら、上記各グロメット４５，５３にあっては、何れにおいても周溝５１，５９をパネル４８，５６の通孔４９，５７に嵌合させにくいという問題があった。そこで、グロメットの嵌合作業性を向上させるために、本出願人は特開平８−２１２８５８号において、図１０〜図１１に示すようなグロメットを提案している。
【０００５】
このグロメット６０は、図１０の如くグロメット本体６１の大径部６２の後方において半環状の一対の引張片６３，６３を延長形成したものである。各引張片６３，６３の間には細幅なスリット６４と、スリット６４に続く円形のハーネス挿通孔６５とが形成されている。
【０００６】
グロメット６０は図１１の如く室内側から引張片６３を引っ張って、大径部６２の周溝６６をパネル６７の通孔６８に嵌合させる。ワイヤハーネス６９はハーネス挿通孔６５に嵌合され、室内側の壁部７０を避けてほぼ直角に屈曲して配索される。
【０００７】
【発明が解決しようとする課題】
しかしながら、上記従来のグロメット６０にあっては、ワイヤハーネス６９の導出方向がハーネス挿通孔６５，６５のある二方向に限定されてしまうために、常にハーネス挿通孔６５の位置を意識しながら、グロメット６０をパネル６７に固定しなければならず、作業が面倒であった。また、ワイヤハーネス６９を狭いスリット６４からハーネス挿通孔６５に嵌合させる作業すなわちワイヤハーネス６９を屈曲させる作業も面倒なものであった。さらに、作業者が略環状の引張片６３，６３を片手で握るようにして引っ張る際に、引張片６３が径方向に潰れ変形を起こすために、力がはいりにくく、特に軍手を着用している場合には、引張作業すなわちパネル６７へのグロメット６０の嵌合作業をいま一つスムーズに行い難いという問題があった。
【０００８】
本発明は、上記した各点に鑑み、ワイヤハーネスの屈曲方向を自由に設定でき、また、ワイヤハーネスの屈曲作業をスムーズに行うことができ、また、パネルへのグロメットの嵌合作業を一層簡単且つ確実に行うことのできるグロメットを提供することを目的とする。
【０００９】
【課題を解決するための手段】
上記目的を達成するために、本発明は、グロメット本体に、パネルの通孔に嵌合する溝部と、該溝部を該通孔に嵌合させるための一対の引張片とが設けられ、ワイヤハーネスを挿通させるグロメットにおいて、前記一対の引張片が幅広な切欠部を介して前記グロメット本体の両側に離間して設けられ、該切欠部が略Ｖ字状に形成されたことを特徴とする。
【００１０】
【発明の実施の形態】
以下に本発明の実施の形態の具体例を図面を用いて詳細に説明する。
図１〜図２は本発明に係るグロメットの一実施例を示すものである。
このグロメット１は、合成ゴムを材料として、グロメット本体２の大径部３の後方に、略Ｖ字状の大きな両側の切欠部４，４によって上下ないし左右に分割された一対の引張片５，５を形成したものである。
【００１１】
略Ｖ字状の切欠部４は引張片５の先端から大径部３の軸方向に漸次テーパ状に縮幅して、引張片５の基端すなわち大径部３のテーパ状の案内壁６まで続いている。引張片５の先端における切欠部４の最大幅Ｌ１  は引張片５の円弧幅Ｌ２  と同程度かそれ以下であることが好ましい。一方の引張片５を他方の引張片５に向けて撓ませた場合、一方の引張片５の先端は大径部３の軸中心を越えて閉じ方向に変形する。
【００１２】
また、この大きな切欠部４，４により、一対の引張片５，５は板厚方向（図２の矢印イ方向）に容易に撓み変形可能となっている。これにより、切欠部４の方向ばかりでなく、切欠部４と直交する方向にも容易にワイヤハーネス（図示せず）を屈曲させることができる。
【００１３】
また、各引張片５のテーパ状の側端部７はワイヤハーネスに対する案内としても作用し、ワイヤハーネスを引張片５の先端側から側端部７に沿って切欠部４の底部８側にスムーズ且つ容易に係合させることができる。これにより、ワイヤハーネスの屈曲作業が極めて容易となる。また、グロメット１を車両のパネル（図示せず）に嵌合すべく、引張片５，５を引っ張る際に、一対の引張片５，５が作業者の手の握り方向に柔軟に追従してグロメット１内のワイヤハーネスに密着するから、引張作業を一層容易且つ確実に行うことができる。
【００１４】
各引張片５の先端には、作業者の手の引っ掛かりを良くするための鍔部９が形成されている。また、大径部３の後端寄りに、パネルの通孔（図示せず）に係合する周溝（溝部）１０が形成されている。周溝１０の後方部分１１（図２）は前方部分（厚肉部）３ａよりも小径に形成されている。大径部の前側には薄肉のキャップ状部１２が形成され、キャップ状部１２の一側に、ワイヤハーネスを挿通させる小径部１３が突出形成されている。グロメット本体２は小径部１３とキャップ状部１２と大径部３と案内壁６とで構成されている。小径部１３は大径部３の軸心方向とは直交する方向に突出している。小径部３の内面には、ワイヤハーネスに対する密着用の環状突部１４が形成されている。
【００１５】
図３〜図４は本発明に係るグロメットの他の実施例を示すものである。
このグロメット２１は、前例の略Ｖ字状の切欠部４（図１）に代えて、両側に矩形状の大きな幅広の切欠部２４，２４を形成することで、上下に一対の引張片２５，２５を構成したものである。
【００１６】
矩形状の幅広の切欠部２４によって、各引張片２５は平行で且つ軸方向に真直な側端部２７を有し、半環状ではなく、むしろ平坦な二枚の平板片に近い形状を呈して、前例よりも板厚方向に一層柔軟に撓み変形及び屈曲変形可能である。一対の引張片２５，２５は大きな切欠部２４，２４によって、グロメット本体２２のテーパ状の案内壁２６の後端において両側に遠く離間した状態で対向している。切欠部２４は引張片２５の先端から案内壁２６の後端まで達している。
【００１７】
切欠部２４の幅Ｌ３  は引張片２５の幅Ｌ４  と同程度かそれ以下であることが好ましい。一方の引張片２５を他方の引張片２５に向けて撓ませた場合、一方の引張片２５は大径部２３の軸心を越えて閉じ方向に大きく変形する。
【００１８】
他の構成は前例と同様であり、各引張片２５の先端には、作業者の手の引っ掛かりを良くするための鍔部２９が形成され、大径部２３の後端寄りに、パネル３６（図５）の通孔３７に係合する周溝（溝部）３０が形成され、周溝３０の後方部分３１は前方部分（厚肉部）２３ａよりも小径に形成され、大径部２３の前方に薄肉のキャップ状部３２が形成され、キャップ状部３２の一側に、ワイヤハーネス３８（図５）を挿通させる小径部３３が、大径部２２の軸方向とは直交する方向に突出形成され、小径部３３の内面に、ワイヤハーネス３８（図５）に対する密着用の環状突部３４（図４）が形成され、小径部３３とキャップ状部３２と大径部２３と案内壁２６とでグロメット本体２２が構成されている。ワイヤハーネス３８（図５）は小径部３３にテープ巻きで固定される。
【００１９】
図５の如く、ワイヤハーネス３８は小径部３３から大径部２３を経て室内側に導入される。グロメット２１をパネル３６の通孔３７に嵌合させる際に、上下ないし左右一対の引張片２５，２５を作業者が矢印イの如く手で握ると、図６（ａ）（ｂ）にも示す如く一対の引張片２５，２５の内面２５ａ，２５ａがワイヤハーネス３８の外周面に密着し、引張片２５，２５の上からワイヤハーネス３８を握った状態で、引張片２５，２５をワイヤハーネス３８と一体にあるいはワイヤハーネス３８の外周を滑らせて力強く引っ張ることができる。それにより、グロメット２１を従来よりも一層スムーズ且つ正確にパネル３６（図５）に嵌合させることができる。
【００２０】
従来のグロメット（図１０）では一対の引張片が狭いスリットを経て対向しており、且つハーネス挿通孔が引張片の基端までは達していないために、引張片がワイヤハーネスに密着しにくく、本実施例のような良好な引張作業性を得ることはできない。
【００２１】
また、図７の如く、引張片２５の後方に車両の壁部３９がある場合はワイヤハーネス３８を屈曲させる訳であるが、その際、矩形状の切欠部２４とは直交する方向（矢印ロ方向）に屈曲させたい場合は、その方向（矢印ロ方向）にワイヤハーネス３８を屈曲させることで、引張片２５が基部４０から極めて容易に折れ曲がり、ワイヤハーネス３８の屈曲作業性が極めて良好である。勿論、矩形状の切欠部２４内にワイヤハーネス３８を屈曲させる場合は無抵抗でワイヤハーネス３８を屈曲させることができる。
【００２２】
このように、何れの方向にもワイヤハーネス３８を屈曲させることができるから、小径部３３に対して切欠部２４の方向が上下でも左右でも何れでもよく、グロメット２１及びその成形金型は一種類あれば事足りる。小径部３３が従来例（図１０）のように大径部２３の軸方向に延びている場合は、切欠部３３の位置を気にせず、グロメット２１をパネル３６に固定することができる。これらの作用効果は前例（図１〜図２）においても同様である。
【００２３】
図７の例でワイヤハーネス３８は略Ｕ字状に折り返される。ワイヤハーネス３８を上側の引張片２５の側に屈曲させた場合は、ワイヤハーネス３８は略クランク形状に屈曲されて小径部３３とは１８０°方向に導出され、ワイヤハーネス３８を切欠部２４内に屈曲させた場合には３３小径部と直交する方向に導出される。
【００２４】
【発明の効果】
以上の如く、請求項１記載の発明によれば、引張片が外向きに折れ曲がり変形しやすいから、ワイヤハーネスを切欠部側はもとより、引張片を外向きに倒して引張片側にも容易に屈曲させることができる。それによりワイヤハーネスの屈曲方向（導出方向）の自由度が増し、切欠部の位置を気にすることなく、グロメットをパネルに組み付けることができ、組付作業性が向上する。また、ワイヤハーネスを切欠部内に屈曲させる際に、切欠部が幅広であるから、ワイヤハーネスを引張片との摺動抵抗なく、簡単且つスムーズに屈曲させることができる。それによりワイヤハーネスの屈曲作業性が向上する。また、グロメットをパネルに嵌合させるべく、一対の引張片を握った際に、一対の引張片がワイヤハーネスの外周面に密着するから、ワイヤハーネスを一緒に握って例えば案内役として、引張片を力強く引くことができる。それにより、グロメットをパネルに一層容易且つ確実に嵌合させることができる。
【００２５】
また、引張片の略テーパ状の側端部に沿ってワイヤハーネスを切欠部の底部側にスムーズ且つ簡単に案内させることができ、ワイヤハーネスの屈曲作業性が向上する。
【図面の簡単な説明】
【図１】本発明に係るグロメットの一実施例を示す斜視図である。
【図２】同じくグロメットを示す縦断面図である。
【図３】本発明に係るグロメットの他の実施例を示す斜視図である。
【図４】同じくグロメットを示す縦断面図である。
【図５】グロメットをパネルに嵌合させる状態を示す縦断面図である。
【図６】（ａ）（ｂ）は引張片をワイヤハーネスに密着させる状態を示す正面図である。
【図７】ワイヤハーネスを屈曲させる状態を示す縦断面図である。
【図８】従来の一般的なグロメットを示す縦断面図である。
【図９】同じく他のグロメットを示す縦断面図である。
【図１０】引張片のある従来のグロメットを示す斜視図である。
【図１１】同じく従来のグロメットをパネルに嵌合させた状態を示す縦断面図である。
【符号の説明】
１，２１    グロメット
２，２２    グロメット本体
４，２４    切欠部
５，２５    引張片
１０，３０  周溝（溝部）
３６        パネル
３７        通孔
３８        ワイヤハーネス
【図１】
0003627962.tif 000002
【図２】
0003627962.tif 000003
【図３】
0003627962.tif 000004
【図４】
0003627962.tif 000005
【図５】
0003627962.tif 000006
【図６】
0003627962.tif 000007
【図７】
0003627962.tif 000008
【図８】
0003627962.tif 000009
【図９】
0003627962.tif 000010
【図１０】
0003627962.tif 000011
【図１１】
0003627962.tif 000012